(57)【要約】【課題】照明環境の変化に応じつつ、ＷＥＬＬ認証の要件を満たす照明光を提供すること。【解決手段】実施形態に係る照明システムは、光源部と、センサと、解析部と、出力制御部とを具備する。光源部は、光源を有する。センサは、光源部によって照明される照明対象を含む照明環境に設けられる。解析部は、センサのセンシングデータに基づいて少なくとも照明環境における等価メラノピック照度を導出する。出力制御部は、解析部の解析結果に基づいて光源の出力を制御する。【選択図】図２
2020167109.tif 000002
【特許請求の範囲】
【請求項１】
光源を有する光源部と；
前記光源部によって照明される照明対象を含む照明環境に設けられるセンサと；
前記センサのセンシングデータに基づいて少なくとも前記照明環境における等価メラノピック照度を導出する解析部と；
前記解析部の解析結果に基づいて前記光源の出力を制御する出力制御部と；
を具備する、照明システム。
【請求項２】
前記センサは、
メッシュネットワークを形成するセンサ群である、
請求項１に記載の照明システム。
【請求項３】
前記センサは、
少なくともＲＧＢセンサを含み、
前記解析部は、
前記ＲＧＢセンサのセンシングデータに基づいて前記照明環境における等価メラノピック照度を導出する、
請求項２に記載の照明システム。
【請求項４】
前記センサは、
前記照明環境を形成する壁面において異なる高さ位置にそれぞれ設けられる、
請求項２または３に記載の照明システム。
【請求項５】
前記センサは、
前記照明環境において移動可能に設けられる、
請求項１〜４のいずれか一つに記載の照明システム。
【発明の詳細な説明】
【技術分野】
【０００１】
本発明の実施形態は、照明システムに関する。
【背景技術】
【０００２】
従来、人の健康や快適性に与える影響を考慮した建築物の認証システムとしてＷＥＬＬ認証（WELL  Building  Standard（登録商標））が知られている。ＷＥＬＬ認証では、いわゆる体内時計とも呼ばれるサーカディアンリズムを考慮したサーカディアン照明の評価項目として等価メラノピック照度（以下、「ＥＭＬ」（Equivalent  Melanopic  Lux）と言う）が採用されている。
【０００３】
ＥＭＬは、サーカディアンリズムに影響する明るさを定量的に捉えるための単位であり、従来の照度とは異なって、網膜上の内因性光感受性網膜神経節細胞（ｉｐＲＧＣｓ：intrinsically  photosensitive  Retinal  Ganglion  Cells）に重み付けされた明るさの単位である。
【０００４】
ｉｐＲＧＣｓは、メラノプシンと呼ばれる光受容体を含み、その分光応答特性は４８０ｎｍ付近にピークを持つ。ｉｐＲＧＣｓで受容された光の情報は視神経を介して視交叉上核に送られ、生体リズムが調節され、例えばメラトニンの分泌などに関わる。メラトニンは、脳の視床下部にある松果体において生成されるホルモンであり、夜間に高い分泌を示すため睡眠ホルモンとして知られる。
【０００５】
このため、たとえば自然光ほどの光量を浴びにくい日中のオフィス内等において、ＥＭＬが所定の閾値を超えるような照明環境を構築することで、建物利用者の日中の覚醒度を上げ、サーカディアンリズムを整えることが可能となる。ＷＥＬＬ認証では、かかるＥＭＬが所定の閾値を超えることで、加点が得られる。
【先行技術文献】
【特許文献】
【０００６】
【非特許文献１】“ＷＥＬＬ”、［online］、［平成３１年３月２５日検索］、インターネット（https://v2.wellcertified.com/v2.1/en/overview）
【発明の概要】
【発明が解決しようとする課題】
【０００７】
しかしながら、オフィスなどの照明環境の状況は、天候や、時間帯、人の動き、ひいては節電対策等によって多様に変化するものである。したがって、一時的にはＷＥＬＬ認証の要件を満たす照明環境が構築できたとしても、状況の変化によっては、かかる変化に応じきれずに、要件を満たさなくなることが考えられる。
【０００８】
本発明が解決しようとする課題は、照明環境の変化に応じつつ、ＷＥＬＬ認証の要件を満たす照明光を提供することである。
【課題を解決するための手段】
【０００９】
実施形態の一例に係る照明システムは、光源部と、センサと、解析部と、出力制御部とを具備する。前記光源部は、光源を有する。前記センサは、前記光源部によって照明される照明対象を含む照明環境に設けられる。前記解析部は、前記センサのセンシングデータに基づいて少なくとも前記照明環境における等価メラノピック照度を導出する。前記出力制御部は、前記解析部の解析結果に基づいて前記光源の出力を制御する。
【発明の効果】
【００１０】
本発明によれば、照明環境の変化に応じつつ、ＷＥＬＬ認証の要件を満たす照明光を提供することができる。
【図面の簡単な説明】
【００１１】
【図１Ａ】図１Ａは、比較例に係る照明システムの概要説明図である。
【図１Ｂ】図１Ｂは、実施形態に係る照明システムの概要説明図である。
【図２】図２は、実施形態に係る照明システムの構成の一例を示すブロック図である。
【図３Ａ】図３Ａは、実施形態に係るセンサの構成の一例を示すブロック図である。
【図３Ｂ】図３Ｂは、実施形態に係るＥＭＬセンサの構成の一例を示す図である。
【図３Ｃ】図３Ｃは、変形例に係るセンサの構成の一例を示すブロック図である。
【図４Ａ】図４Ａは、実施形態に係る照明システムが実行する第１処理の処理説明図である。
【図４Ｂ】図４Ｂは、実施形態に係る照明システムが実行する第２処理の処理説明図である。
【図４Ｃ】図４Ｃは、実施形態に係る照明環境のパラメータの一例を示す図である。
【図５Ａ】図５Ａは、実施形態に係る照明システムが実行する第１処理の処理手順を示すフローチャートである。
【図５Ｂ】図５Ｂは、実施形態に係る照明システムが実行する第２処理の処理手順を示すフローチャートである。
【発明を実施するための形態】
【００１２】
以下で説明する実施形態に係る照明システムは、光源部と、センサと、解析部と、出力制御部とを具備する。光源部は、光源を有する。センサは、光源部によって照明される照明対象を含む照明環境に設けられる。解析部は、センサのセンシングデータに基づいて少なくとも照明環境における等価メラノピック照度を導出する。出力制御部は、解析部の解析結果に基づいて光源の出力を制御する。
【００１３】
また、以下で説明する実施形態に係るセンサは、メッシュネットワークを形成するセンサ群である。
【００１４】
また、以下で説明する実施形態に係るセンサは、少なくともＲＧＢセンサを含み、解析部は、上記ＲＧＢセンサのセンシングデータに基づいて照明環境における等価メラノピック照度を導出する。
【００１５】
また、以下で説明する実施形態に係るセンサは、照明環境を形成する壁面において異なる高さ位置にそれぞれ設けられる。
【００１６】
また、以下で説明する実施形態に係るセンサは、照明環境において移動可能に設けられる。
【００１７】
以下、図面を参照して、実施形態に係る照明システムについて説明する。実施形態において同一の機能を有する構成要素には同一の符号を付し、重複する説明は省略される。
【００１８】
また、同一の構成要素が複数ある場合、そのうちの少なくとも２つに符号を付し、その他については符号を省略する場合がある。
【００１９】
また、以下の実施形態で説明する照明システムは、一例を示すに過ぎず、本発明を限定するものではない。
【００２０】
（実施形態）
まず、図１Ａおよび図１Ｂを用いて、実施形態に係る照明システム１の概要について説明する。図１Ａは、比較例に係る照明システム１’の概要説明図である。また、図１Ｂは、実施形態に係る照明システム１の概要説明図である。
【００２１】
図１Ａに示すように、比較例に係る照明システム１’は、制御部４０と、光源部５０とを具備する。なお、図１Ａに示す例では、照明システム１’が複数の光源部５０を有する場合を示しているが、光源部５０は１つであってもよい。
【００２２】
制御部４０は、照明システム１’全体を制御するコントローラ（controller）である。例えば、制御部４０は、照度、色温度、点滅間隔、照射位置および照射範囲といった各光源部５０の出力態様を制御する。
【００２３】
光源部５０は、例えば、室内の天井やユーザＵの近傍に設置される室内灯である。なお、図１Ａでは、天井の光源部５０は平面視で略矩形状のバータイプのものを図示しているが、あくまで一例であって、その形状や設置形態を限定するものではない。同様に図１Ａでは、ユーザＵの近傍の光源部５０はスポットライトタイプのものを図示しているが、あくまで一例であって、その形状や設置形態を限定するものではない。
【００２４】
また、光源部５０は、室内灯に限定されず、屋外灯であってもよい。また、光源部５０は、天井やユーザＵの近傍に設置されるものに限定されず、床面や側方の壁面に設置される光源部、間接照明として機能する光源部、可搬性の光源部等であってもよい。
【００２５】
また、光源部５０は、照度や色温度を調整可能な光源を有する。例えば、光源部５０は、ＳＭＤ（Surface  Mount  Device）形やＣＯＢ（Chip  on  Board）形の基板上に配置された複数のＬＥＤ（Light  Emitting  Diode）光源を有する。
【００２６】
ＬＥＤ光源は、例えば、白色で発光する白色光源と、赤色、緑色、青色等の有彩色でそれぞれ発光する有彩色光源とを有する。制御部４０は、これら光源をそれぞれ独立に制御し、それぞれ発光させる割合や強度を変更することで、任意に調光および調色を制御することが可能である。
【００２７】
なお、光源部５０の光源は、上述した例に限られず、例えば、相関色温度の異なる２種類の光源や、白色光源と赤色光源の２種類、白色光源と青色光源の２種類で構成されることにしてもよい。また、光源は、ＬＥＤに限らず、ハロゲンランプ等を用いることとしてもよい。
【００２８】
ところで、このような照明システム１’においては、節電対策として、光源部５０の間引き点灯や調光により、オフィス等の照明環境を全体的または部分的に減光する場合がある。
【００２９】
オフィスにおける日本工業規格（ＪＩＳ：Japanese  Industrial  Standards）の推奨照度は７５０ｌｘとされているが、節電対策により、推奨照度の約半分程度に減光される場合も少なくない。
【００３０】
すると、図１Ａに示すように、オフィスが元々、ＷＥＬＬ認証の要件を満たす照明環境であったとしても、節電対策による減光によりＥＭＬが不十分となり、ＷＥＬＬ認証の要件を満たさなくなることが起こりうる。
【００３１】
そこで、実施形態に係る照明システム１では、照明環境の状況を随時取得することとしたうえで、取得した状況に応じて、ＷＥＬＬ認証の要件を満たすように各光源部５０の光源の出力制御を行うこととした。
【００３２】
具体的には、図１Ｂに示すように、実施形態に係る照明システム１は、各種のセンサ６０をさらに具備する。
【００３３】
センサ６０は、ＥＭＬや、照度、温度、湿度、ＵＶ（ultraviolet）、天候、画像情報、ユーザＵの生体情報といった、照明システム１が照明する照明環境に関する各種情報を検知する各種センサであって、壁面の高い位置や低い位置、ユーザＵの近傍等、照明環境内の様々な場所に設けられる。
【００３４】
なお、図１Ｂに示すように、移動式のロボットクリーナ８０のような移動体に設けられてもよい。また、ユーザＵが直接身につけるウェアラブルデバイスとして設けられてもよい。このように、センサ６０を、照明環境を形成する壁面において異なる高さ位置にそれぞれ設けたり、移動可能に設けたりすることによって、これらセンサ６０のセンシングデータに基づいて照明環境の状況を解析する際に、かかる状況を立体的にかつ隈なく把握することが可能となる。
【００３５】
また、これらセンサ６０は、例えば照明環境においてメッシュネットワークを形成しており、センシングした各種センシングデータを共有したり、１つの接続が不良となってもネットワーク全体を運用可能としたりすることができる。センサ６０の構成の具体例については、図３Ａ〜図３Ｃを用いた説明で後述する。
【００３６】
そのうえで、実施形態に係る照明システム１では、制御部４０が、かかるセンサ６０等を用いて照明環境の状況を取得する（ステップＳ１）。そして、制御部４０は、取得した状況に応じてＷＥＬＬ認証の要件を満たすように各光源部５０の光源の出力制御を行う（ステップＳ２）。
【００３７】
例えば、制御部４０は、センサ６０のセンシングデータに基づいてユーザＵにおけるＥＭＬを導出する。かかるＥＭＬは、例えば後述するＥＭＬセンサ６１（図３Ａおよび図３Ｂ参照）によって直接計測してもよいし、ＥＭＬセンサ６１以外のその他のセンサ６０のセンシングデータに基づいて推定することとしてもよい。
【００３８】
そして、制御部４０は、導出したＥＭＬに基づき、ＷＥＬＬ認証の要件を満たすように、例えばユーザＵの近傍の光源部５０であるスポットライトの照明制御を行う。例えば、制御部４０は、ＷＥＬＬ認証において、ＥＭＬの項目における加点と、演色評価数の項目における加点が得られる分光分布の光を出射するように、各光源部５０の光源の出力制御を行う。
【００３９】
なお、具体的には、ＷＥＬＬ認証においては、ＥＭＬが２４０ｍ−ｌｘ（メラノピックルクス）以上で加点３点、１５０ｍ−ｌｘ以上で加点１点が得られ、が得られ、演色評価数のＲａが９０より大きい場合で加点が得られる。
【００４０】
これにより、例えば、節電対策として照明環境全体としての減光は行いつつも、ユーザＵについてはＷＥＬＬ認証の要件を満たすようにＥＭＬを保たせることが可能となる。
【００４１】
なお、節電対策時に限らず、実施形態に係る照明システム１では、制御部４０が随時取得する照明環境の状況に基づき、ＥＭＬおよび照度をそれぞれ一定以上に保つように各光源部５０の光源の出力制御を行うこともできる。
【００４２】
このように、実施形態に係る照明システム１では、照明環境の状況を随時取得することとしたうえで、取得した状況に応じて、ＷＥＬＬ認証の要件を満たすように各光源部５０の光源の出力制御を行うこととした。
【００４３】
したがって、実施形態に係る照明システム１によれば、照明環境の変化に応じつつ、ＷＥＬＬ認証の要件を満たす照明光を提供することが可能となる。
【００４４】
以下、実施形態に係る照明システム１の構成の一例について、より具体的に説明する。図２は、実施形態に係る照明システム１の構成の一例を示すブロック図である。なお、図２では、実施形態の特徴を説明するために必要な構成要素のみを表しており、一般的な構成要素についての記載を省略している。
【００４５】
換言すれば、図２に図示される各構成要素は機能概念的なものであり、必ずしも物理的に図示の如く構成されていることを要しない。例えば、各ブロックの分散・統合の具体的形態は図示のものに限られず、その全部または一部を、各種の負荷や使用状況などに応じて、任意の単位で機能的または物理的に分散・統合して構成することが可能である。
【００４６】
また、図２を用いた説明では、既に説明済みの構成要素については、説明を簡略化するか、省略する場合がある。
【００４７】
図２に示すように、実施形態に係る照明システム１は、通信部１０と、操作部２０と、記憶部３０と、制御部４０と、複数の光源部５０と、センサ６０とを具備する。
【００４８】
通信部１０は、インターネットやＷｉＦｉ（登録商標）等のネットワークを介して各種機器と通信を行う通信モジュールである。通信部１０は、外部サーバやスマートフォン、タブレット端末と通信を行うことが可能である。本実施形態において、通信部１０は、有線または無線の少なくとも一方の通信方式を用いることができる。
【００４９】
操作部２０は、例えば照明システム１のオペレータが照明システム１を操作するためのユーザインターフェースである。操作部２０は、オペレータの操作に応じた入力信号を制御部４０へ入力する。入力信号には、光源部５０のオンオフ制御信号や、照明環境に関する設定情報、ＷＥＬＬ認証に関する要件情報等が含まれる。
【００５０】
記憶部３０は、例えば、ＲＡＭ（Random  Access  Memory）、フラッシュメモリ（Flash  Memory）等の半導体メモリ素子、または、ハードディスク、光ディスク等の記憶装置によって実現され、図２の例では、照明環境情報３１と、要件情報３２とを記憶する。
【００５１】
照明環境情報３１は、照明システム１が照明する照明環境に関する情報であり、例えば照明環境が存在する地域や、施設の種別、空間の大きさや、各光源部５０の位置、各センサ６０の位置といった各種情報を含む。要件情報３２は、ＷＥＬＬ認証の要件に関する定義情報等を含む。
【００５２】
制御部４０は、コントローラであり、例えば、ＣＰＵ（Central  Processing  Unit）やＭＰＵ（Micro  Processing  Unit）等によって、照明システム１が有する記憶デバイスに記憶されている各種プログラムがＲＡＭを作業領域として実行されることにより実現される。また、制御部４０は、例えば、ＡＳＩＣ（Application  Specific  Integrated  Circuit）やＦＰＧＡ（Field  Programmable  Gate  Array）等の集積回路により実現することができる。
【００５３】
制御部４０は、取得部４１と、解析部４２と、出力制御部４３とを有し、以下に説明する情報処理の機能や作用を実現または実行する。
【００５４】
取得部４１は、センサ６０によって検知された照明環境の状況を示す各種センシングデータを通信部１０を介して取得する。
【００５５】
ここで、センサ６０の構成のいくつかの例について、図３Ａ〜図３Ｃを用いて説明する。図３Ａは、実施形態に係るセンサ６０の構成の一例を示すブロック図である。また、図３Ｂは、実施形態に係るＥＭＬセンサ６１の構成の一例を示す図である。また、図３Ｃは、変形例に係るセンサ６０Ａの構成の一例を示すブロック図である。
【００５６】
図３Ａに示すように、センサ６０は、メッシュネットワークを形成する各種センサからなるセンサ群として構成することができる。図３Ａに示すように、センサ６０は、例えば、ＥＭＬセンサ６１と、照度センサ６２と、環境センサ６３と、画像センサ６４と、生体センサ６５とを含む。
【００５７】
ＥＭＬセンサ６１は、例えばマルチスペクトルセンサを含み、かかるマルチスペクトルセンサによって計測される、ユーザＵの目に入る光の分光分布の計測値に基づいてＥＭＬを算出する。ＥＭＬセンサ６１は、図３Ｂに示すように、ユーザＵが身につけることのできる、例えば眼鏡型のウェアラブルデバイスとして構成することができる。
【００５８】
照度センサ６２は、照明環境における各所（例えば、光源部５０ごとの照射範囲）の照度を検知する。環境センサ６３は、例えば照明環境における温度、湿度、ＵＶ、天候等を検知する。画像センサ６４は、照明環境における種々（例えば、ユーザＵの顔等）の画像データを撮像する。生体センサ６５は、例えばユーザＵの活動量や、ストレス値、加速度といった生体情報を検知する。
【００５９】
生体センサ６５は、上述したＥＭＬセンサ６１と同様に、眼鏡型や腕時計型といったウェアラブルデバイスとして構成することができる。生体センサ６５にＥＭＬセンサ６１が組み込まれていてもよい。
【００６０】
また、図３Ａの場合とは異なり、図３Ｃに示すように、ＥＭＬセンサ６１および照度センサ６２に替えてＲＧＢセンサ６６を用いることとし、かかるＲＧＢセンサ６６のセンシングデータに基づいて、ＥＭＬと照度とを導出するようにしてもよい。
【００６１】
図２の説明に戻る。解析部４２は、取得部４１によって取得された各種センシングデータおよび照明環境情報３１に基づいて照明環境の実際の状況（以下、「実状況」と言う）を解析する。
【００６２】
出力制御部４３は、解析部４２の解析結果に応じて、ＷＥＬＬ認証の要件を満たすように光源部５０の出力の態様を制御する。すなわち、出力制御部４３は、解析部４２によって解析された照明環境の実状況に応じて、ＷＥＬＬ認証の要件を満たすように、各光源部５０の各光源の出力状態を制御する。
【００６３】
より具体的に、実施形態に係る照明システム１が実行する処理について、図４Ａ〜図４Ｃを用いて説明する。図４Ａは、実施形態に係る照明システム１が実行する第１処理の処理説明図である。また、図４Ｂは、実施形態に係る照明システム１が実行する第２処理の処理説明図である。また、図４Ｃは、実施形態に係る照明環境のパラメータの一例を示す図である。
【００６４】
実施形態に係る照明システム１は、大別して第１処理および第２処理の２つの処理を実行することができる。まず、実施形態に係る照明システム１は、第１処理として、光源部５０によって照明される照明対象の状況を取得して、かかる状況に基づき、ＥＭＬが所定の条件を満たすように、言い換えれば照明対象において所望のＥＭＬが得られるように、光源部５０の光源を出力制御する。
【００６５】
具体的には、図４Ａに示すように、照明システム１は、取得部４１が、光源部５０によって照明光を照射される照明対象の実状況を示すセンサ６０のセンシングデータを取得する。なお、ここに言う「照明対象の実状況」は、例えば照明対象であるユーザＵにおける実際の照明の状態である。
【００６６】
そして、解析部４２が、かかるセンシングデータに基づいて、照明対象であるユーザＵにおける実際の照明の状態、例えばユーザＵにおけるＥＭＬを解析する。そのうえで、同図に示すように、出力制御部４３が、解析部４２の解析結果に基づき、照明対象において所望のＥＭＬが得られるように光源部５０の各光源を出力制御する。
【００６７】
すなわち、照明システム１は、照明対象における所望のＥＭＬが目標値としてあり、かかる目標値と、センサ６０のセンシングデータに基づく実際のＥＭＬとを比較しながら、目標値へ実際のＥＭＬを近づけるフィードバック制御処理を第１処理として実行する。
【００６８】
なお、ここでは、照明対象がユーザＵである場合を例に挙げたが、照明対象がオフィス全体であってもよい。かかる場合、照明システム１は例えば、壁面に設けられたセンサ６０のセンシングデータから取得されたＥＭＬに基づき、かかるＥＭＬを最小値と想定しつつ、オフィス全体において所望のＥＭＬが得られるように光源部５０の各光源を出力制御する。
【００６９】
このように、壁面におけるＥＭＬを最小値と想定した制御を行うことによって、オフィス全体において確実にＷＥＬＬ認証の要件を満たす照明光を提供することが可能となる。
【００７０】
また、実施形態に係る照明システム１は、第２処理として、照明環境の状況を取得し、かかる状況ごとに、ＷＥＬＬ認証の要件を満たすＥＭＬの範囲で光源部５０の光源を出力制御する。
【００７１】
具体的には、図４Ｂに示すように、照明システム１は、取得部４１が、照明環境の実状況を示すセンサ６０のセンシングデータを取得する。なお、ここに言う「照明環境の実状況」は、例えば照明環境における各種事象の実際の状況である。
【００７２】
かかる照明環境の実状況を示すパラメータとしては、具体的に、図４Ｃに示すように、天候や、地域、施設の種別、活動量、ストレス値、年齢、時間、内装、壁紙等を含むことができる。
【００７３】
天候は、例えば上述した環境センサ６３のセンシングデータである環境データに基づく。地域や施設の種別は、例えば上述した照明環境情報３１に基づく。また、活動量やストレス値は、例えば上述した生体センサ６５のセンシングデータである生体データに基づく。また、年齢や内装、壁紙等は、例えば上述した画像センサ６４のセンシングデータである画像データに基づく。時間は、例えば現在時刻である。
【００７４】
そして、解析部４２が、これら照明環境の実状況を示すパラメータに基づいて、照明環境の実状況を解析する。そのうえで、同図に示すように、出力制御部４３が、解析部４２の解析結果に基づき、照明環境ごとに、ＷＥＬＬ認証の要件を満たすＥＭＬの範囲で光源部５０の各光源を出力制御する。
【００７５】
例えば、解析部４２は、ユーザＵの年齢や、活動量、ストレス値等に基づいて、ユーザＵの健康状態を解析し、かかる健康状態に応じて出力制御部４３は光源部５０を連動的に出力制御する。
【００７６】
その一例として、解析部４２は、ユーザＵの覚醒度を解析する。そして、例えば午前中において覚醒度が低いと判定されるユーザＵについては、出力制御部４３が、かかるユーザＵを照明対象とする光源部５０につき、その光源を例えば青色成分を多く含むように出力制御する。これにより、例えばメラトニンの分泌を抑制させ、ユーザＵの生体リズムを整えることが可能となる。
【００７７】
また、例えば、解析部４２は、天候や、時間、内装、壁紙等に基づいて、該当の照明環境において演色評価数で加点が得られるように調色パラメータを解析し、かかるパラメータに基づいて出力制御部４３は光源部５０を連動的に出力制御する。
【００７８】
すなわち、照明システム１は、センサ６０のセンシングデータに基づく照明環境の実際の状況ごとに、ＷＥＬＬ認証の要件を満たすＥＭＬの範囲で光源部５０の光源が出力制御されるように第２処理を実行する。
【００７９】
なお、上述した第１処理および第２処理は、それぞれ独立で実行される処理であってもよい。したがって、例えば照明システム１が２つの制御部４０を有し、一方の制御部４０で第１処理を、他方の制御部４０で第２処理を、それぞれ実行するようにしてもよい。
【００８０】
次に、実施形態に係る照明システム１が実行する処理の処理手順について、図５Ａおよび図５Ｂを用いて説明する。図５Ａは、実施形態に係る照明システム１が実行する第１処理の処理手順を示すフローチャートである。また、図５Ｂは、実施形態に係る照明システム１が実行する第２処理の処理手順を示すフローチャートである。
【００８１】
まず、第１処理において、図５Ａに示すように、取得部４１が、センサ６０を介して照明対象の状況を取得する（ステップＳ１０１）。そして、解析部４２が、取得部４１によって取得された照明対象の状況を解析する（ステップＳ１０２）。
【００８２】
そして、出力制御部４３が、解析部４２の解析結果に基づき、照明対象において所望のＥＭＬが得られるように光源部５０の光源を出力制御し（ステップＳ１０３）、ステップＳ１０１からの処理が繰り返される。
【００８３】
また、第２処理においては、図５Ｂに示すように、取得部４１が、センサ６０を介して照明環境の状況を取得する（ステップＳ２０１）。そして、解析部４２が、取得部４１によって取得された照明環境の状況を解析する（ステップＳ２０２）。
【００８４】
そして、出力制御部４３が、解析部４２の解析結果に基づき、照明環境の状況ごとに、ＷＥＬＬ認証の要件を満たすＥＭＬの範囲で光源部５０の光源を出力制御し（ステップＳ２０３）、ステップＳ２０１からの処理が繰り返される。
【００８５】
上述してきたように、実施形態に係る照明システム１は、光源部５０と、センサ６０と、解析部４２と、出力制御部４３とを具備する。光源部５０は、光源を有する。センサ６０は、光源部５０によって照明される照明対象を含む照明環境に設けられる。解析部４２は、センサ６０のセンシングデータに基づいて少なくとも照明環境における等価メラノピック照度を導出する。出力制御部４３は、解析部４２の解析結果に基づいて光源の出力を制御する。
【００８６】
これにより、照明環境の変化に応じつつ、ＷＥＬＬ認証の要件を満たす照明光を提供することができる。
【００８７】
（その他の実施形態）
なお、上述した実施形態では、１つの照明環境におけるセンサ６０を、メッシュネットワークを形成する各種センサからなるセンサ群として構成し、かかるセンサ６０に含まれる環境センサ６３の環境データや、生体センサ６５の生体データ等に基づいて照明環境の状況を解析する場合を例に挙げた。
【００８８】
かかる１つの照明環境ごとのセンサ６０のセンシングデータは、例えばクラウドコンピューティングにおけるクラウドサーバへ収集され、クラウドサーバにおいてまとめて解析されて、適宜、各照明環境へフィードバックされてもよい。
【００８９】
これにより、例えばある１つの照明環境における環境データや生体データ等が示す照明環境の状況から導かれる解析結果を、似たようなセンシングデータが検知された他の照明環境でも利用することが可能となる。
【００９０】
すなわち、例えば環境データや生体データ等から導かれる人の健康や快適性を考慮した光源部５０の制御パラメータの共有が可能となる。また、随時収集される新たなセンシングデータに基づき、クラウドサーバにおいて繰り返し機械学習等のアルゴリズムにより解析を重ねることによって、解析結果としての解析モデルの高精度化を図ることができる。
【００９１】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００９２】
１    照明システム
４１    取得部
４２    解析部
４３    出力制御部
５０    光源部
６０，６０Ａ  センサ
６１    ＥＭＬセンサ
６２    照度センサ
６３    環境センサ
６４    画像センサ
６５    生体センサ
６６    ＲＧＢセンサ
Ｕ      ユーザ
【図１Ａ】
2020167109.tif 000003
【図１Ｂ】
2020167109.tif 000004
【図２】
2020167109.tif 000005
【図３Ａ】
2020167109.tif 000006
【図３Ｂ】
2020167109.tif 000007
【図３Ｃ】
2020167109.tif 000008
【図４Ａ】
2020167109.tif 000009
【図４Ｂ】
2020167109.tif 000010
【図４Ｃ】
2020167109.tif 000011
【図５Ａ】
2020167109.tif 000012
【図５Ｂ】
2020167109.tif 000013